(57)【要約】  装置は、90度の角度で配置され対として組立てられ、間隔をあけて平行な位置に整列され、中央穴を備える四つのアームを有する、二つの交差する形状の部品からなり、中央穴にモータシャフトが装置全体の回転軸と成るように接続される。交差する形状の部品の前記四つのアームによって区切られた90度の空間に、四つの矩形部品が接続され、装置全体の回転において遠心力を発生する。前記矩形部品は、回転軸の支点によってレバーとして機能し、遠心力が、前記矩形部品のレバーが接続される交差する形状の部品の平行な位置の対をなすアームに掛かって、回転方向と同一方向にトルクを増加する。
2008504490.tif 000002
【特許請求の範囲】
【請求項１】
90度の角度で配列する四つの等しいアームと中央穴とを備える、二つの交差する形状の部品から形成され、整列に当たって、八つのアームが、対となって平行に間隔をあけた位置で形成され、前記中央穴で部品によって接続され、シャフトが装置全体の回転軸になるために前記穴の中で固定されるような方法で、前記二つの交差する形状の部品の前記中央穴と整列される。
【請求項２】
90度で交差する形状の二つの部品の対をなすアームは、90度の四つの角を持ち、四つの角の頂点は回転軸に近い場所に位置し、このことが90度の頂点と交差する形状の部品のアームの部分に、四箇所の自由な空間を形成するという特徴を生み出し、この空間に四つの部品が取り付けられる。
【請求項３】
これらの四つの部品は矩形を有し、レバーの働きをするという特徴を持ち、装置が時計回りに回転すると想定して、交差する形状の部品の対となった一つのアームが12時を指すとすると、時計回りに沿って、対となった後続アームは3時を指して回転軸に非常に近い頂点で90度をなし、この空間には四つの矩形のレバーの内の一つが位置し、3時を指す交差する形状の部品のアームの中にのみ固定され、このレバーの効果を持つ矩形の部品が、12時を指すアームに固定されてはならないことを明示することが重要であり、器具を90度回転させると、それまで12時を指していた交差する形状の部品のアームは3時を指し、これによってこの交差する形状の部品のアームには別のレバーを固定することが可能となるので、順番に四つのレバーは交差する形状の部品の一対のアームにのみ固定されるように配置される。
【請求項４】
本発明品はどのような既存の方法であれ、固有の軸で回転すること、あるいは、直接モーターの回転軸に取り付けることも可能である。
【請求項５】
請求項３に記載の交差する形状の部品のアームで区切られる90度の空間を占める四つの矩形の部品は、装置全体を回転させると遠心力を生じるという特徴があり、この遠心力は、レバーのように、四つのパーツが固定される交差する形状の平行な部品の対となったアームにおいて、その回転方向と同じ方向への圧力となって、結果的にトルクを増大させる。
【請求項６】
製造に使用する材料、部品の寸法や比率は変更が可能だが、このことにより本特許の独占的所有権が変わることはない。
【請求項７】
前記交差する形状の部品と平行に配置された一対のアームに装着された四つの部品、いわゆるレバーは、接続されるこれらの部品と垂直に、又はある別の勾配で配置することが可能であり、また矩形でも非矩形でもよく、この意味で本発明の独占的な権利が変わることは無い。
【発明の詳細な説明】
【発明を実施するための最良の形態】
【０００１】
本図解中、図１は、二つの90度の角度で交差する形状の中央部に穴を有する部品（１）を表す。これらの部品は、間隔をあけて平行な位置に取付けられ（図２参照）、交差する形状の部品の中央部の穴と整列する部品（３）によって組立てられる。これらの穴に、シャフト（４）が堅固に接続され、前記シャフトがトルク倍増機の全ての回転の軸となる。
【０００２】
図３は矩形部品の正面図と側面図（２）を示し、前記部品の一方の端末部が穴を備える凹部を有し、そこにボルト（５）が受容される。この種の四つの部品が、本発明を構成するために使用される。説明を簡単にするために、それらはレバーと呼ばれる。
【０００３】
図４は、ボルト（５）によって前記二つの平行な部品（１）の間に接続される、前記四つのレバー（２）の一つを開示し、それらが前記平行な部品（１）の端部の部位（６）でどのように支持されるかが詳しく示される。
【０００４】
図５は前記ボルト（５）によって前記二つの平行な部品（１）の間に配置された前記四つのレバー（２）を備える、すでに組立てられた発明品の正面図を示す。このボルト（５）は、前記レバー（２）の凹部の中央部で、中央の穴に、又は交差する形状の部品の平行なアームの端末部の方向に転置された穴に入るべきであることが明瞭に理解され（図解１／４の図３を参照）、そこに前記四つのレバーのそれぞれが接続される。前記四つのレバー（２）は交差する形状の部品の端部で支持される。図４と図５の部位（６）を参照。
【０００５】
本発明の機能を説明するために図６を参照すると、この実例において、装置は時計回りに回転し、ボルト（５）によって交差する形状の平行な部品（１）の間に配置されるレバー（２）は、シャフト（４）を軸に装置全体の回転によって、遠心力（矢印（Ｆ）を参照）を得て、その質量は回転と同方向に移動する強い力を獲得する（位置（７）を参照）。この参照数字は、遠心力によってレバー（２）が移動する場所を予測したものであり、その質量はボルト（５）によって、配置される十字形の部品に並列する場所に位置することになる（矢印（８）を参照）。回転方向への回転や移動のための、レバー（２）への衝撃力は発生せず、平行な部品の端部でレバー（２）が支持されることから、回転は不可能である（図４の６）。そして、レバー（２）が固定され支持される同じ平行な部品の端部に加わる力となり、シャフト（４）に強いトルクを生じ、その力は速度が増すにつれて増加するが、その速度の増加においてはより多くのエネルギー消費を必要としない。なぜならば、速度を増加するにつれて四つのレバーの回転方向へのトルク圧力は増加し、速度が増加するにつれて増大するトルクはモーターが最大に動く際に使用される名目トルクをはるかに上回るものだからである。
【０００６】
全ての物質は速度が増すと質量が増大する。質量の増加とは物体の重量が増すことであると理解されるので、装置全体の回転速度が得られるとレバー（２）は重量を増し、重量が増加すると遠心力がついて（６）の地点、および装置全体の回転と同一方向において並列する部品の端部への圧力が増し、結果的にトルクが増加する。
【０００７】
図７は、このトルク倍増機と命名した発明の工業的応用例を示している。文字（Ｍ）は回転軸（ＭＴ）に設置されたトルク倍増機に回転を与える適切な能力を備えたモーター（エンジン）を表す。このトルク倍増機はモーターのみが持つトルクを増加させ、このトルクの増加により最大限に動くモーターに必要な能力を上回る回転を発電機（ＧＥ）に与えることができ、余剰電力を他の目的に使用することが可能となる。
【０００８】
本発明の部品と操作が、十分に開示された時点で新規性とみなされ、その結果、独占的な権利として、請求項の内容を主張する。
【図１】
2008504490.tif 000003
【図２】
2008504490.tif 000004
【図３】
2008504490.tif 000005
【図４】
2008504490.tif 000006
【図５】
2008504490.tif 000007
【図６】
2008504490.tif 000008
【図７】
2008504490.tif 000009
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
90度の角度で配列する四つの等しいアームと中央穴（１）とを備える、二つの交差する形状の部品から形成され、整列に当たって、八つのアームが、対となって平行に間隔をあけた位置で形成され、前記中央穴で部品（３）によって接続され、モータシャフトであるシャフト（４）が、装置全体の回転軸になるために前記穴の中で固定されるような方法で、前記二つの交差する形状の部品の前記中央穴と整列される（図１と２）。
【請求項２】
請求項１に記載の前記交差する形状の部品は、四つの90度の角を形成し、前記空間で、四つの矩形部品（２）はレバーの効果をなし、以下の割合を有して装着され（図４と５）、すなわちその板厚は、それらを外側で計測して、空間を有する前記交差する形状の部品（１）の対をなすアームの計測結果と少なくとも同一でなければならず、その結果、前記レバーは、前記交差する形状の部品（１）の前記アームの端部で支持されるようになり（図４）、その幅は、交差する形状の部品の前記アーム（６）の長さの計測結果と同一寸法にならなければならず（図５）、前記矩形部品（２）の長さは、前記交差する形状の部品（１）の一つ又はそれ以上の長さと等しくなければならず、その一端末部に凹部を有し、前記凹部が、前記端部（６）で支持される交差する形状の部品（図４）の前記二つのアームの間隔を開けることによって形成される空間に装着されるようになる。
【請求項３】
請求項２に記載の前記四つの矩形部品（２）は、ボルト（５）によって、前記対をなす交差する形状の部品の一つに支持されていることを特徴とし、前記ボルトが、前記交差する形状の部品（１）のアームの端部（６）で、支持されるそれらを維持し、前記ボルトが、前記交差する形状の部品に、横方向に穴の中へ、及び前記部品によって接続される前記矩形の部品（２）の凹部で装着され（図４）、及び前記ボルト（５）が装着される前記穴は、前記交差する形状の部品のアームの中間部分に形成される、又は端末部の方向に移動されるだろう（図４と５）。
【請求項４】
請求項２に記載の矩形部品（２）は、所定の場所でそれらを支持する支点となる前記ボルト（４）を有するレバーとして機能し、前記平行な交差する形状の部品（１）の端部（６）が、レバーの力が掛かる部位であることを特徴とする。
【請求項５】
請求項１に記載の前記交差する形状の部品のアームに装着されて回転する場合に、レバーの力は、請求項２に記載の前記矩形部品（２）の遠心力（Ｆ）の結果であり、それは順次、軸（４）（モータシャフト）を回転し、前記遠心力が、回転中に前記交差する形状の部品の端末部（６）に圧力として連続的に掛かり、それ故に、トルクの増加は、装置の速度の増加に伴って増加することによって得られ、速度の増加が、請求項２に記載の前記四つの矩形部品の質量の増加（すなわち重量の増加）を生ずるから、レバーの作用によって、前記トルクを増加する。
【請求項６】
請求項２に記載の前記交差する形状の部品（１）と平行に配置された一対のアームに装着された四つの矩形部品、いわゆるレバー（２）は、接続されるこれらの部品（１）と垂直に、又はある別の勾配で配置され、それらは矩形であり、又は直線部分と曲線の組合せを有しており、この意味で本発明の独占的な権利が変わることは無い。
【手続補正書】
【提出日】平成17年10月13日(2005.10.13)
【手続補正１】
【補正対象書類名】明細書
【補正対象項目名】全文
【補正方法】変更
【補正の内容】
【発明の詳細な説明】
【発明を実施するための最良の形態】
【０００１】
図１は、二つの90度で交差する形状の、中央部に穴を有する部品（１）を表す。これらの部品は、間隔をあけて平行な位置に取付けられ（図２参照）、交差する形状の部品の中央部の穴と整列する部品（３）によって組立てられる。これらの穴に、シャフト（４）が堅固に接続され、前記シャフトがトルク倍増機全体の回転軸となり、ここで前記シャフトは、モータシャフトである。
【０００２】
図３は矩形部品（２）の正面図と側面図を示し、前記部品の一方の端末部が穴を備える凹部を有し、そこにボルト（５）が受容される。この種の四つの部品が、本発明を構成するために使用される。説明を簡単にするために、それらはレバー（２）と呼ばれる。
【０００３】
図４は、ボルト（５）によって前記二つの平行な部品（１）の間に接続される前記四つのレバー（２）の一つを開示し、それらが前記平行な部品（１）の端部の部位（６）でどのように支持されるかが詳しく示される。
【０００４】
図５は前記ボルト（５）によって前記二つの平行な部品（１）の間に配置された前記四つのレバー（２）を備える、すでに組立てられた発明品の正面図を示す。このボルト（５）は、前記レバー（２）の凹部の中央部で、中央の穴に、又は交差する形状の部品（１）の平行なアームの端末部の方向に移動された穴に入るであろうことが明瞭に理解され、そこに前記四つのレバーのそれぞれが接続される。前記四つのレバー（２）は交差する形状の部品（１）の端部で支持される。図４と図５の部位（６）を参照。
【０００５】
本発明の機能を説明するために図６を参照すると、この実例において、装置は時計回りに回転し、ボルト（５）によって交差する形状の平行な部品（１）の間に配置される前記レバー（２）は、シャフト（４）を軸に装置全体の回転によって遠心力（矢印（Ｆ）を参照）を得て、それ故にそれらの質量は、前記ボルト（５）において回転し、回転方向と同一の方向に移動させられる強力な駆動力を獲得する（位置（７）を参照）。この参照数字は、遠心力によってレバー（２）が移動する場所を予測したものである。
【０００６】
しかしながら、同一のボルト（５）が、前記平行な部品の端部にもたれかかっている、及び前記交差する形状の部品の端末部（６）に正確にもたれかかっている前記レバーを支持するから、上記のことは起こりえない。前記矩形部品（２）をレバーとして動かすことによって、遠心力の全てが掛かる部位は、ボルト（５）に支点を有し、部位（６）上に遠心力が掛かることを介して、トルクの増加を生じる。すなわち、前記トルクが、速度の増加にともなって増加し、速度がレバー（２）の重量の増加をもたらすから、それ故にレバーは、レバーの効果によって掛けられる遠心力を増加し、したがって同一の回転方向で、交差する形状の部品の端末部（６）にさらに圧力を増加し、したがってモータシャフト（４）である回転軸でトルクの増加を得る。これがトルク倍増機である。
【０００７】
本発明の部品と操作が、十分に開示された時点で新規性とみなされ、その結果、独占的な権利として、請求項の内容を主張する。
【手続補正２】
【補正対象書類名】図面
【補正対象項目名】全図
【補正方法】変更
【補正の内容】
【図１】
2008504490.tif 000010
【図２】
2008504490.tif 000011
【図３】
2008504490.tif 000012
【図４】
2008504490.tif 000013
【図５】
2008504490.tif 000014
【図６】
2008504490.tif 000015
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
トルク倍増機であって、
90度の角度で配列する四つの等しいアーム及び中央穴を備える、二つの交差する形状の部品（１）と
八つのアームを対になって平行に間隔をあける位置に整列し、前記中央穴に接続する部品（３）と、
前記倍増機全体の回転軸になるために前記中央穴の中に固定されるように、前記二つの交差する形状の部品の前記中央穴と整列される、モータシャフトであるシャフト（４）と、
を具備する、トルク倍増機。
【請求項２】
前記交差する形状の部品（１）が、四つの90度の角を形成し、その空間に四つの矩形部品（２）が、レバーの効果をなすように設置され、前記四つの矩形部品（２）は、その板厚が、外側で計測して、前記空間を有する前記交差する形状の部品（１）の対をなす前記アームと少なくとも同一でなければならず、その結果、前記矩形部品（２）が、前記交差する形状の部品（１）の前記アームの端部（６）で支持されるようになり、その幅が、交差する形状の部品（１）の前記アームの長さと同一寸法にならなければならず、その長さが、前記交差する形状の部品（１）と同一又はそれ以上の長さにならなければならず、さらにその一端末部が、凹部を有し、前記凹部が、交差する形状の部品の前記二つのアームの間隔を開けることによって形成される隙間に装着され、前記端部（６）で支持されるようになる、請求項１に記載のトルク倍増機。
【請求項３】
前記四つの矩形部品（２）が、ボルト（５）によって、前記対をなす交差する形状の部品の一つに支持されていることを特徴とし、前記ボルトが、前記交差する形状の部品（１）のアームの端部（６）で支持される前記矩形部品（２）を保持し、前記ボルトが、前記交差する形状の部品を横断する穴に及び前記矩形の部品（２）が接続される前記部品の凹部に設置され、並びに前記ボルト（５）が設置される前記穴は、前記交差する形状の部品のアームの中間部分に形成され、又は前記端末部の方向に移動して形成されるだろう、請求項２に記載のトルク倍増機。
【請求項４】
前記矩形部品（２）が、所定の場所にそれらを維持する支点となる前記ボルト（５）を有するレバーとして機能し、前記平行な交差する形状の部品（１）の前記端部（６）が、レバーの力が掛かる部位であることを特徴とする、請求項３に記載のトルク倍増機。
【請求項５】
前記レバーの力は、前記矩形部品（２）が前記交差する形状の部品（１）のアームに設置され、前記シャフト（４）が回転することによって前記矩形部品（２）の遠心力（Ｆ）が、回転中に前記交差する形状の部品の端末部（６）に圧力として連続的に作用し、それ故に、倍増機の速度の増加を伴い前記四つの矩形部品の重量の増加を生ずるから、前記レバーの力によって前記トルクを増加する、請求項４に記載のトルク倍増機。
【請求項６】
前記交差する形状の部品（１）と平行に配置され、一対のアームに設置されるレバーと称する前記四つの矩形部品（２）は、接続される前記交差する形状の部品（１）と垂直に、又はある別の傾きで配置することができ、それらは矩形、又は本発明の独占的な権利の変更を意味しない直線部分と曲線の組合せを有することが可能な、請求項２に記載のトルク倍増機。
【国際調査報告】
2008504490.tif 000016
2008504490.tif 000017
2008504490.tif 000018
2008504490.tif 000019